(57)【要約】  様々なトーンプランによるワイヤレス通信のための方法および装置が提供される。一態様では、方法は、１０２４トーンプランに従ってワイヤレス通信のためのメッセージを生成することを含む。１０２４トーンプランは９８０個のデータトーンと１６個のパイロットトーンとを含む。本方法は、８０ＭＨｚ帯域幅上での送信のためにメッセージを供給することをさらに含む。
2017528941.tif 000002
【特許請求の範囲】
【請求項１】
ワイヤレス通信を行うように構成された装置であって、
命令を記憶するメモリと、
前記メモリに結合され、
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を行うために前記命令を実行するように構成されたプロセッサと
を備える、装置。
【請求項２】
前記プロセッサが、１０の低密度パリティチェック（ＬＤＰＣ）トーンマッピング距離（ＤＴＭ）を使用して前記メッセージのトーンをマッピングするために前記命令を実行するようにさらに構成された、請求項１に記載の装置。
【請求項３】
前記プロセッサが、１４の低密度パリティチェック（ＬＤＰＣ）トーンマッピング距離（ＤＴＭ）を使用して前記メッセージのトーンをマッピングするために前記命令を実行するようにさらに構成された、請求項１に記載の装置。
【請求項４】
前記プロセッサが、２０の低密度パリティチェック（ＬＤＰＣ）トーンマッピング距離（ＤＴＭ）を使用して前記メッセージのトーンをマッピングするために前記命令を実行するようにさらに構成された、請求項１に記載の装置。
【請求項５】
前記１０２４トーンプランが５つの直流トーンを備える、請求項１に記載の装置。
【請求項６】
前記１０２４トーンプランが１２個の左ガードトーンと１１個の右ガードトーンとを備える、請求項１に記載の装置。
【請求項７】
前記１０２４トーンプランが、１２個の左ガードトーンと、１１個の右ガードトーンと、５つの直流トーンと、９８０個のデータトーンと、１６個のパイロットトーンとを備える、請求項１に記載の装置。
【請求項８】
前記装置が移動局であり、ここにおいて、前記プロセッサが、前記移動局をサービスするアクセスポイントに、前記移動局の送信機およびアンテナを通して前記メッセージを送信するように構成されることによって、前記８０ＭＨｚ帯域幅上での送信のために前記メッセージを供給するように構成された、請求項１に記載の装置。
【請求項９】
前記装置がアクセスポイントであり、ここにおいて、前記プロセッサが、前記アクセスポイントによってサービスされる移動局に、前記アクセスポイントの送信機およびアンテナを通して前記メッセージを送信するように構成されることによって、前記８０ＭＨｚ帯域幅上での送信のために前記メッセージを供給するように構成された、請求項１に記載の装置。
【請求項１０】
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を備える、ワイヤレス通信の方法。
【請求項１１】
１０の低密度パリティチェック（ＬＤＰＣ）トーンマッピング距離（ＤＴＭ）を使用して前記メッセージのトーンをマッピングすることをさらに備える、請求項１０に記載の方法。
【請求項１２】
１４の低密度パリティチェック（ＬＤＰＣ）トーンマッピング距離（ＤＴＭ）を使用して前記メッセージのトーンをマッピングすることをさらに備える、請求項１０に記載の方法。
【請求項１３】
２０の低密度パリティチェック（ＬＤＰＣ）トーンマッピング距離（ＤＴＭ）を使用して前記メッセージのトーンをマッピングすることをさらに備える、請求項１０に記載の方法。
【請求項１４】
前記１０２４トーンプランが５つの直流トーンを備える、請求項１０に記載の方法。
【請求項１５】
前記１０２４トーンプランが１２個の左ガードトーンと１１個の右ガードトーンとを備える、請求項１０に記載の方法。
【請求項１６】
前記１０２４トーンプランが、１２個の左ガードトーンと、１１個の右ガードトーンと、５つの直流トーンと、９８０個のデータトーンと、１６個のパイロットトーンとを備える、請求項１０に記載の方法。
【請求項１７】
前記方法が移動局上で行われ、ここにおいて、前記８０ＭＨｚ帯域幅上での送信のために前記メッセージを供給することが、前記移動局をサービスするアクセスポイントに、前記移動局の送信機およびアンテナを通して前記メッセージを送信することを備える、請求項１０に記載の方法。
【請求項１８】
前記方法がアクセスポイント上で行われ、ここにおいて、前記８０ＭＨｚ帯域幅上での送信のために前記メッセージを供給することが、前記アクセスポイントによってサービスされる移動局に、前記アクセスポイントの送信機およびアンテナを通して前記メッセージを送信することを備える、請求項１０に記載の方法。
【請求項１９】
１０２４トーンプランに従ってワイヤレス通信のためのメッセージを生成するための手段と、前記１０２４トーンプランが９８０個のデータトーンと１６個のパイロットトーンとを備える、
８０ＭＨｚ帯域幅上での送信のために前記メッセージを供給するための手段と
を備える、ワイヤレス通信のための装置。
【請求項２０】
実行されたとき、装置に、
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を行わせる命令を備える非一時的コンピュータ可読媒体。
【発明の詳細な説明】
【技術分野】
【０００１】
[0001]  本開示のいくつかの態様は、一般にワイヤレス通信（wireless communication）に関し、より詳細には、様々なトーンプラン（tone plan）に従ってメッセージ（message）を供給するための方法および装置（apparatus）に関する。
【背景技術】
【０００２】
[0002]  多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれることがある。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]  ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００４】
[0004]  ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、高効率ワイヤレスネットワーク（high efficiency wireless network）における通信効率（communication efficiency）を改善するためのシステム、方法、および非一時的コンピュータ可読媒体（non-transitory computer-readable medium）が必要である。
【発明の概要】
【０００５】
[0005]  添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００６】
[0006]  本明細書で説明する主題の１つまたは複数の実装形態の詳細を添付の図面および以下の説明に記載する。他の特徴、態様、および利点は、説明、図面、および特許請求の範囲から明らかになるであろう。以下の図の相対寸法は一定の縮尺で描かれていないことがあることに留意されたい。
【０００７】
[0007]  本開示の一態様は、ワイヤレス通信のための装置を含む。本装置は、メッセージのワイヤレス通信のために５１２トーンプランおよび１０２４トーンプランのうちの１つから選択するように構成された処理システムを含む。５１２トーンプランは、４７４個のデータトーン（data tone）、４７６個のデータトーン、４８０個のデータトーン、および４８６個のデータトーンのうちの１つと、５１２トーンプランが少なくとも３つの直流トーン（direct current tone）を含むとき、２４個のパイロットトーン（pilot tone）、２２個のパイロットトーン、１８個のパイロットトーン、および１２個のパイロットトーンのうちの多くとも１つと、５１２トーンプランが少なくとも７つの直流トーンを含むとき、２０個のパイロットトーン、１８個のパイロットトーン、および１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも３つの直流トーンを含むとき、６２個のパイロットトーン、５０個のパイロットトーン、３８個のパイロットトーン、３０個のパイロットトーン、２６個のパイロットトーン、２０個のパイロットトーン、および１４個のパイロットトーンのうちの多くとも１つと、１０２４トーンプランが少なくとも７つの直流トーンを含むとき、５８個のパイロットトーン、４６個のパイロットトーン、３４個のパイロットトーン、２６個のパイロットトーン、２２個のパイロットトーン、および１６個のパイロットトーンのうちの多くとも１つとを含む。システムは、５１２トーンプランを選択すると、４０ＭＨｚまたは１６０ＭＨｚ帯域幅（bandwidth）上での送信のためにメッセージを供給するようにさらに構成される。システムは、１０２４トーンプランを選択すると、８０ＭＨｚ帯域幅上での送信のためにメッセージを供給するようにさらに構成される。
【０００８】
[0008]  様々な実施形態では、本装置は、５１２トーンプランに従って符号化データ（encoded data）をインターリーブ（interleave）するように構成されたインターリーバ（interleaver）をさらに含むことができる。インターリーバは、インターリーブされた符号化データに基づいて、送信のために一連のインターリーブされたビットを生成（generate）するようにさらに構成され得る。インターリーバは、１つまたは複数の空間ストリーム（spatial stream）に対応する１つまたは複数のストリームインターリーバを含むことができる。１つまたは複数のストリームインターリーバは、最高４つの空間ストリームについて、１１３〜１２７のうちの少なくとも１つのインターリーブされた回転インデックス（rotation index）と、［０  ２  １  ３]のベースサブキャリア回転（base subcarrier rotation）とを含むことができる。１つまたは複数のストリームインターリーバは、５つ以上の空間ストリームについて、５４〜６６のうちの少なくとも１つのインターリーブされた回転インデックスと、［０  ４  ２  ６  １  ５  ３  ７]または［０  ５  ２  ７  ３  ６  １  ４]のベースサブキャリア回転とを含むことができる。システムは、１つまたは複数の空間ストリームを介して一連のインターリーブされたビットを送信するように構成された送信回路をさらに含むことができる。
【０００９】
[0009]  様々な実施形態では、１つまたは複数のストリームインターリーバは、４７４のデータトーンブロック（data tone block）のための２、３、６、７７９、１５８、または２３７のインターリーバ深度（interleaver depth）、４７６のデータトーンブロックのための２、４、７、１４、１７、２８、３４、６８、１１９、または２３８のインターリーバ深度、４８０のデータトーンブロックのための２、３、４、５、６、８、１０、１２、１５、１６、２０、２４、３０、３２、４０、４８、６０、８０、９６、１２０、１６０、または２４０のインターリーバ深度、および４８６のデータトーンブロックのための２、３、６、９、１８、２７、５４、８１、１６２、または２４３のインターリーバ深度のうちの少なくとも１つをさらに含むことができる。
【００１０】
[0010]  様々な実施形態では、システムは、１０２４トーンプランに従って符号化データをインターリーブするように構成されたインターリーバをさらに含むことができる。インターリーバは、インターリーブされた符号化データに基づいて、送信のために一連のインターリーブされたビットを生成するようにさらに構成され得る。インターリーバは、１つまたは複数の空間ストリームに対応する１つまたは複数のストリームインターリーバを含むことができる。１つまたは複数のストリームインターリーバは、最高４つの空間ストリームについて、２３２〜２５４のうちの少なくとも１つのインターリーブされた回転インデックスと、［０  ２  １  ３]のベースサブキャリア回転とを含むことができる。１つまたは複数のストリームインターリーバは、５つ以上の空間ストリームについて、１１３〜１３０のうちの少なくとも１つのインターリーブされた回転インデックスと、［０  ４  ２  ６  １  ５  ３  ７]または［０  ５  ２  ７  ３  ６  １  ４]のベースサブキャリア回転とを含むことができる。システムは、１つまたは複数の空間ストリームを介して一連のインターリーブされたビットを送信するように構成された送信回路をさらに含むことができる。
【００１１】
[0011]  様々な実施形態では、１つまたは複数のストリームインターリーバは、９４８のデータトーンブロックのための２、３、４、６、１２、７９、１５８、２３７、３１６、または４７４のインターリーバ深度、９６０のデータトーンブロックのための２、３、４、５、６、８、１０、１２、１５、１６、２０、２４、３０、３２、４０、４８、６０、６４、８０、９６、１２０、１６０、１９２、２４０、３２０、または４８０のインターリーバ深度、９７２のデータトーンブロックのための２、３、４、６、９、１２、１８、２７、３６、５４、８１、１０８、１６２、２４３、３２４、または４８６のインターリーバ深度、９８０のデータトーンブロックのための２、４、５、７、１０、１４、２０、２８、３５、４９、７０、９８、１４０、１９６、２４５、または４９０のインターリーバ深度、９８４のデータトーンブロックのための２、３、４、６、８、１２、２４、４１、８２、１２３、１６４、２４６、３２８、または４９２のインターリーバ深度、９９０のデータトーンブロックのための２、３、５、６、９、１０、１１、１５、１８、２２、３０、３３、４５、５５、６６、９０、９９、１１０、１６５、１９８、３３０、または４９５のインターリーバ深度、および９９６のデータトーンブロックのための２、３、４、６、１２、８３、１６６、２４９、３３２、または４９８のインターリーバ深度のうちの少なくとも１つをさらに含むことができる。
【００１２】
[0012]  本開示の別の態様は、ワイヤレス通信の方法を含む。本方法は、ワイヤレスデバイスにおいて、メッセージのワイヤレス通信のために５１２トーンプランおよび１０２４トーンプランのうちの１つから選択することを含む。５１２トーンプランは、４７４個のデータトーン、４７６個のデータトーン、４８０個のデータトーン、および４８６個のデータトーンのうちの１つと、５１２トーンプランが少なくとも３つの直流トーンを含むとき、２４個のパイロットトーン、２２個のパイロットトーン、１８個のパイロットトーン、および１２個のパイロットトーンのうちの多くとも１つと、５１２トーンプランが少なくとも７つの直流トーンを含むとき、２０個のパイロットトーン、１８個のパイロットトーン、および１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも３つの直流トーンを含むとき、６２個のパイロットトーン、５０個のパイロットトーン、３８個のパイロットトーン、３０個のパイロットトーン、２６個のパイロットトーン、２０個のパイロットトーン、および１４個のパイロットトーンのうちの多くとも１つと、１０２４トーンプランが少なくとも７つの直流トーンを含むとき、５８個のパイロットトーン、４６個のパイロットトーン、３４個のパイロットトーン、２６個のパイロットトーン、２２個のパイロットトーン、および１６個のパイロットトーンのうちの多くとも１つとを含む。本方法は、５１２トーンプランを選択すると、４０ＭＨｚまたは１６０ＭＨｚ帯域幅上での送信のためにメッセージを供給することをさらに含む。本方法は、１０２４トーンプランを選択すると、８０ＭＨｚ帯域幅上での送信のためにメッセージを供給することをさらに含む。
【００１３】
[0013]  様々な実施形態では、本方法は、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、１１３〜１２７のうちの少なくとも１つのインターリーブされた回転インデックスと、［０  ２  １  ３]のベースサブキャリア回転とを使用することを含むことができる。前記インターリーブすることは、５つ以上の空間ストリームについて、５４〜６６のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本方法は、１つまたは複数の空間ストリームを介して一連のインターリーブされたビットを送信することをさらに含むことができる。
【００１４】
[0014]  様々な実施形態では、前記インターリーブすることは、４７４のデータトーンブロックのために２、３、６、７７９、１５８、または２３７のインターリーバ深度を使用すること、４７６のデータトーンブロックのために２、４、７、１４、１７、２８、３４、６８、１１９、または２３８のインターリーバ深度を使用すること、４８０のデータトーンブロックのために２、３、４、５、６、８、１０、１２、１５、１６、２０、２４、３０、３２、４０、４８、６０、８０、９６、１２０、１６０、または２４０のインターリーバ深度を使用すること、および４８６のデータトーンブロックのために２、３、６、９、１８、２７、５４、８１、１６２、または２４３のインターリーバ深度を使用することのうちの少なくとも１つをさらに含むことができる。
【００１５】
[0015]  様々な実施形態では、本方法は、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、２３２〜２５４のうちの少なくとも１つのインターリーブされた回転インデックスと、［０  ２  １  ３]のベースサブキャリア回転とを使用することを含むことができる。前記インターリーブすることは、５つ以上の空間ストリームについて、１１３〜１３０のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本方法は、１つまたは複数の空間ストリームを介して一連のインターリーブされたビットを送信することをさらに含むことができる。
【００１６】
[0016]  様々な実施形態では、前記インターリーブすることは、９４８のデータトーンブロックのために２、３、４、６、１２、７９、１５８、２３７、３１６、または４７４のインターリーバ深度を使用すること、９６０のデータトーンブロックのために２、３、４、５、６、８、１０、１２、１５、１６、２０、２４、３０、３２、４０、４８、６０、６４、８０、９６、１２０、１６０、１９２、２４０、３２０、または４８０のインターリーバ深度を使用すること、９７２のデータトーンブロックのために２、３、４、６、９、１２、１８、２７、３６、５４、８１、１０８、１６２、２４３、３２４、または４８６のインターリーバ深度を使用すること、９８０のデータトーンブロックのために２、４、５、７、１０、１４、２０、２８、３５、４９、７０、９８、１４０、１９６、２４５、または４９０のインターリーバ深度を使用すること、９８４のデータトーンブロックのために２、３、４、６、８、１２、２４、４１、８２、１２３、１６４、２４６、３２８、または４９２のインターリーバ深度を使用すること、９９０のデータトーンブロックのために２、３、５、６、９、１０、１１、１５、１８、２２、３０、３３、４５、５５、６６、９０、９９、１１０、１６５、１９８、３３０、または４９５のインターリーバ深度を使用すること、および９９６のデータトーンブロックのために２、３、４、６、１２、８３、１６６、２４９、３３２、または４９８のインターリーバ深度を使用することのインターリーバ深度を使用することのうちの少なくとも１つをさらに含むことができる。
【００１７】
[0017]  本開示の別の態様は、ワイヤレス通信のための別の装置を含む。本装置は、メッセージのワイヤレス通信のために５１２トーンプランおよび１０２４トーンプランのうちの１つから選択する手段を含む。５１２トーンプランは、４７４個のデータトーン、４７６個のデータトーン、４８０個のデータトーン、および４８６個のデータトーンのうちの１つと、５１２トーンプランが少なくとも３つの直流トーンを含むとき、２４個のパイロットトーン、２２個のパイロットトーン、１８個のパイロットトーン、および１２個のパイロットトーンのうちの多くとも１つと、５１２トーンプランが少なくとも７つの直流トーンを含むとき、２０個のパイロットトーン、１８個のパイロットトーン、および１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも３つの直流トーンを含むとき、６２個のパイロットトーン、５０個のパイロットトーン、３８個のパイロットトーン、３０個のパイロットトーン、２６個のパイロットトーン、２０個のパイロットトーン、および１４個のパイロットトーンのうちの多くとも１つと、１０２４トーンプランが少なくとも７つの直流トーンを含むとき、５８個のパイロットトーン、４６個のパイロットトーン、３４個のパイロットトーン、２６個のパイロットトーン、２２個のパイロットトーン、および１６個のパイロットトーンのうちの多くとも１つとを含む。本装置は、５１２トーンプランを選択すると、４０ＭＨｚまたは１６０ＭＨｚ帯域幅上での送信のためにメッセージを供給するための手段をさらに含む。本装置は、１０２４トーンプランを選択すると、８０ＭＨｚ帯域幅上での送信のためにメッセージを供給するための手段をさらに含む。
【００１８】
[0018]  様々な実施形態では、本装置は、符号化データをインターリーブするための手段をさらに含むことができる。本装置は、インターリーブされた符号化データに基づいて、送信のために一連のインターリーブされたビットを生成するための手段をさらに含むことができる。インターリーブするための前記手段は、最高４つの空間ストリームについて、１１３〜１２７のうちの少なくとも１つのインターリーブされた回転インデックスと、［０  ２  １  ３]のベースサブキャリア回転とを含むことができる。インターリーブするための前記手段は、５つ以上の空間ストリームについて、５４〜６６のうちの少なくとも１つのインターリーブされた回転インデックスと、［０  ４  ２  ６  １  ５  ３  ７]または［０  ５  ２  ７  ３  ６  １  ４]のベースサブキャリア回転とを含むことができる。本装置は、１つまたは複数の空間ストリームを介して一連のインターリーブされたビットを送信するための手段をさらに含むことができる。
【００１９】
[0019]  様々な実施形態では、インターリーブするための前記手段は、４７４のデータトーンブロックのための２、３、６、７７９、１５８、または２３７のインターリーバ深度、４７６のデータトーンブロックのための２、４、７、１４、１７、２８、３４、６８、１１９、または２３８のインターリーバ深度、４８０のデータトーンブロックのための２、３、４、５、６、８、１０、１２、１５、１６、２０、２４、３０、３２、４０、４８、６０、８０、９６、１２０、１６０、または２４０のインターリーバ深度、４８６のデータトーンブロックのための２、３、６、９、１８、２７、５４、８１、１６２、または２４３のインターリーバ深度のうちの少なくとも１つをさらに含むことができる。
【００２０】
[0020]  様々な実施形態では、本装置は、符号化データをインターリーブするための手段をさらに含むことができる。本装置は、インターリーブされた符号化データに基づいて、送信のために一連のインターリーブされたビットを生成するための手段をさらに含むことができる。インターリーブするための前記手段は、最高４つの空間ストリームについて、２３２〜２５４のうちの少なくとも１つのインターリーブされた回転インデックスと、［０  ２  １  ３]のベースサブキャリア回転とを含むことができる。インターリーブするための前記手段は、５つ以上の空間ストリームについて、１１３〜１３０のうちの少なくとも１つのインターリーブされた回転インデックスと、［０  ４  ２  ６  １  ５  ３  ７]または［０  ５  ２  ７  ３  ６  １  ４]のベースサブキャリア回転とを含むことができる。本装置は、１つまたは複数の空間ストリームを介して一連のインターリーブされたビットを送信するための手段をさらに含むことができる。
【００２１】
[0021]  様々な実施形態では、インターリーブするための前記手段は、９４８のデータトーンブロックのための２、３、４、６、１２、７９、１５８、２３７、３１６、または４７４のインターリーバ深度、９６０のデータトーンブロックのための２、３、４、５、６、８、１０、１２、１５、１６、２０、２４、３０、３２、４０、４８、６０、６４、８０、９６、１２０、１６０、１９２、２４０、３２０、または４８０のインターリーバ深度、９７２のデータトーンブロックのための２、３、４、６、９、１２、１８、２７、３６、５４、８１、１０８、１６２、２４３、３２４、または４８６のインターリーバ深度、９８０のデータトーンブロックのための２、４、５、７、１０、１４、２０、２８、３５、４９、７０、９８、１４０、１９６、２４５、または４９０のインターリーバ深度、９８４のデータトーンブロックのための２、３、４、６、８、１２、２４、４１、８２、１２３、１６４、２４６、３２８、または４９２のインターリーバ深度、９９０のデータトーンブロックのための２、３、５、６、９、１０、１１、１５、１８、２２、３０、３３、４５、５５、６６、９０、９９、１１０、１６５、１９８、３３０、または４９５のインターリーバ深度、および９９６のデータトーンブロックのための２、３、４、６、１２、８３、１６６、２４９、３３２、または４９８のインターリーバ深度のうちの少なくとも１つをさらに含むことができる。
【００２２】
[0022]  本開示の別の態様は、非一時的コンピュータ可読媒体を含む。本媒体は、実行されたとき、装置に、メッセージのワイヤレス通信のために５１２トーンプランおよび１０２４トーンプランのうちの１つから選択させるコード（code）を含む。５１２トーンプランは、４７４個のデータトーン、４７６個のデータトーン、４８０個のデータトーン、および４８６個のデータトーンのうちの１つと、５１２トーンプランが少なくとも３つの直流トーンを含むとき、２４個のパイロットトーン、２２個のパイロットトーン、１８個のパイロットトーン、および１２個のパイロットトーンのうちの多くとも１つと、５１２トーンプランが少なくとも７つの直流トーンを含むとき、２０個のパイロットトーン、１８個のパイロットトーン、および１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも３つの直流トーンを含むとき、６２個のパイロットトーン、５０個のパイロットトーン、３８個のパイロットトーン、３０個のパイロットトーン、２６個のパイロットトーン、２０個のパイロットトーン、および１４個のパイロットトーンのうちの多くとも１つと、１０２４トーンプランが少なくとも７つの直流トーンを含むとき、５８個のパイロットトーン、４６個のパイロットトーン、３４個のパイロットトーン、２６個のパイロットトーン、２２個のパイロットトーン、および１６個のパイロットトーンのうちの多くとも１つとを含む。本媒体は、実行されたとき、装置に、５１２トーンプランを選択すると、４０ＭＨｚまたは１６０ＭＨｚ帯域幅上での送信のためにメッセージを供給させるコードをさらに含む。本媒体は、実行されたとき、装置に、１０２４トーンプランを選択すると、８０ＭＨｚ帯域幅上での送信のためにメッセージを供給させるコードをさらに含む。
【００２３】
[0023]  様々な実施形態では、本媒体は、実行されたとき、装置に、符号化データをインターリーブさせるコードをさらに含むことができる。本媒体は、実行されたとき、装置に、インターリーブされた符号化データに基づいて、送信のために一連のインターリーブされたビットを生成させるコードをさらに含むことができる。前記インターリーブすることは、最高４つの空間ストリームについて、１１３〜１２７のうちの少なくとも１つのインターリーブされた回転インデックスと、［０  ２  １  ３]のベースサブキャリア回転とを使用することを含むことができる。前記インターリーブすることは、５つ以上の空間ストリームについて、５４〜６６のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本媒体は、実行されたとき、装置に、１つまたは複数の空間ストリームを介して一連のインターリーブされたビットを送信させるコードをさらに含むことができる。
【００２４】
[0024]  様々な実施形態では、前記インターリーブすることは、４７４のデータトーンブロックのための２、３、６、７７９、１５８、または２３７のインターリーバ深度、４７６のデータトーンブロックのための２、４、７、１４、１７、２８、３４、６８、１１９、または２３８のインターリーバ深度、４８０のデータトーンブロックのための２、３、４、５、６、８、１０、１２、１５、１６、２０、２４、３０、３２、４０、４８、６０、８０、９６、１２０、１６０、または２４０のインターリーバ深度、４８６のデータトーンブロックのための２、３、６、９、１８、２７、５４、８１、１６２、または２４３のインターリーバ深度のうちの少なくとも１つを使用することをさらに含むことができる。
【００２５】
[0025]  様々な実施形態では、本媒体は、実行されたとき、装置に、符号化データをインターリーブさせるコードをさらに含むことができる。本媒体は、実行されたとき、装置に、インターリーブされた符号化データに基づいて、送信のために一連のインターリーブされたビットを生成させるコードをさらに含むことができる。前記インターリーブすることは、最高４つの空間ストリームについて、２３２〜２５４のうちの少なくとも１つのインターリーブされた回転インデックスと、［０  ２  １  ３]のベースサブキャリア回転とを使用することを含むことができる。前記インターリーブすることは、５つ以上の空間ストリームについて、１１３〜１３０のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本媒体は、実行されたとき、装置に、１つまたは複数の空間ストリームを介して一連のインターリーブされたビットを送信させるコードをさらに含むことができる。
【００２６】
[0026]  様々な実施形態では、前記インターリーブすることは、９４８のデータトーンブロックのための２、３、４、６、１２、７９、１５８、２３７、３１６、または４７４のインターリーバ深度、９６０のデータトーンブロックのための２、３、４、５、６、８、１０、１２、１５、１６、２０、２４、３０、３２、４０、４８、６０、６４、８０、９６、１２０、１６０、１９２、２４０、３２０、または４８０のインターリーバ深度、９７２のデータトーンブロックのための２、３、４、６、９、１２、１８、２７、３６、５４、８１、１０８、１６２、２４３、３２４、または４８６のインターリーバ深度、９８０のデータトーンブロックのための２、４、５、７、１０、１４、２０、２８、３５、４９、７０、９８、１４０、１９６、２４５、または４９０のインターリーバ深度、９８４のデータトーンブロックのための２、３、４、６、８、１２、２４、４１、８２、１２３、１６４、２４６、３２８、または４９２のインターリーバ深度、９９０のデータトーンブロックのための２、３、５、６、９、１０、１１、１５、１８、２２、３０、３３、４５、５５、６６、９０、９９、１１０、１６５、１９８、３３０、または４９５のインターリーバ深度、９９６のデータトーンブロックのための２、３、４、６、１２、８３、１６６、２４９、３３２、または４９８のインターリーバ深度のうちの少なくとも１つを使用することをさらに含むことができる。
【００２７】
[0027]  別の態様は、ワイヤレス通信を行う（perform）ように構成された別の装置を提供する。本装置は、命令（instruction）を記憶するメモリを含む。本装置は、メモリに結合されたプロセッサ（processor）をさらに含む。プロセッサは、１０２４トーンプランに従ってワイヤレス通信のためのメッセージを生成するために命令を実行（execute）するように構成される。１０２４トーンプランは９８０個のデータトーンと１６個のパイロットトーンとを含む。プロセッサは、８０ＭＨｚ帯域幅上での送信のためにメッセージを供給するために命令を実行するようにさらに構成される。
【００２８】
[0028]  様々な実施形態では、プロセッサは、１０の低密度パリティチェック（ＬＤＰＣ：low density parity check）トーンマッピング距離（ＤＴＭ：tone mapping distance）を使用してメッセージのトーンをマッピングするために命令を実行するようにさらに構成され得る。様々な実施形態では、プロセッサは、１４の低密度パリティチェック（ＬＤＰＣ）トーンマッピング距離（ＤＴＭ）を使用してメッセージのトーンをマッピングするために命令を実行するようにさらに構成され得る。様々な実施形態では、プロセッサは、２０の低密度パリティチェック（ＬＤＰＣ）トーンマッピング距離（ＤＴＭ）を使用してメッセージのトーンをマッピングするために命令を実行するようにさらに構成され得る。
【００２９】
[0029]  様々な実施形態では、１０２４トーンプランは５つの直流トーンを含むことができる。様々な実施形態では、１０２４トーンプランは１２個の左ガードトーン（left guard tones）と１１個の右ガードトーン（right guard tones）とを含むことができる。様々な実施形態では、１０２４トーンプランは、１２個の左ガードトーンと、１１個の右ガードトーンと、５つの直流トーンと、９８０個のデータトーンと、１６個のパイロットトーンとを含むことができる。
【００３０】
[0030]  様々な実施形態では、本装置は移動局（mobile station）であり得る。プロセッサは、移動局をサービス（serve）するアクセスポイント（access point）に、移動局の送信機およびアンテナを通してメッセージを送信するように構成されることによって、８０ＭＨｚ帯域幅上での送信のためにメッセージを供給するように構成され得る。様々な実施形態では、本装置はアクセスポイントであり得る。プロセッサは、アクセスポイントによってサービスされる移動局に、アクセスポイントの送信機およびアンテナを通してメッセージを送信するように構成されることによって、８０ＭＨｚ帯域幅上での送信のためにメッセージを供給するように構成され得る。
【００３１】
[0031]  別の態様は、ワイヤレス通信の別の方法を提供する。本方法は、１０２４トーンプランに従ってワイヤレス通信のためのメッセージを生成することを含む。１０２４トーンプランは９８０個のデータトーンと１６個のパイロットトーンとを含む。本方法は、８０ＭＨｚ帯域幅上での送信のためにメッセージを供給することをさらに含む。
【００３２】
[0032]  様々な実施形態では、本方法は、１０の低密度パリティチェック（ＬＤＰＣ）トーンマッピング距離（ＤＴＭ）を使用してメッセージのトーンをマッピングすることをさらに含むことができる。様々な実施形態では、本方法は、１４の低密度パリティチェック（ＬＤＰＣ）トーンマッピング距離（ＤＴＭ）を使用してメッセージのトーンをマッピングすることをさらに含むことができる。様々な実施形態では、本方法は、２０の低密度パリティチェック（ＬＤＰＣ）トーンマッピング距離（ＤＴＭ）を使用してメッセージのトーンをマッピングすることをさらに含むことができる。
【００３３】
[0033]  様々な実施形態では、１０２４トーンプランは５つの直流トーンを含むことができる。様々な実施形態では、１０２４トーンプランは１２個の左ガードトーンと１１個の右ガードトーンとを含むことができる。様々な実施形態では、１０２４トーンプランは、１２個の左ガードトーンと、１１個の右ガードトーンと、５つの直流トーンと、９８０個のデータトーンと、１６個のパイロットトーンとを含むことができる。
【００３４】
[0034]  様々な実施形態では、本方法は移動局上で行われ得る。８０ＭＨｚ帯域幅上での送信のためにメッセージを供給することは、移動局をサービスするアクセスポイントに、移動局の送信機およびアンテナを通してメッセージを送信することを含むことができる。様々な実施形態では、本方法はアクセスポイント上で行われ得る。８０ＭＨｚ帯域幅上での送信のためにメッセージを供給することは、アクセスポイントによってサービスされる移動局に、アクセスポイントの送信機およびアンテナを通してメッセージを送信することを含むことができる。
【００３５】
[0035]  別の態様は、ワイヤレス通信のための別の装置を提供する。本装置は、１０２４トーンプランに従ってワイヤレス通信のためのメッセージを生成するための手段を含む。１０２４トーンプランは９８０個のデータトーンと１６個のパイロットトーンとを含む。本装置は、８０ＭＨｚ帯域幅上での送信のためにメッセージを供給するための手段をさらに含む。
【００３６】
[0036]  様々な実施形態では、本装置は、１０の低密度パリティチェック（ＬＤＰＣ）トーンマッピング距離（ＤＴＭ）を使用してメッセージのトーンをマッピングするための手段をさらに含むことができる。様々な実施形態では、本装置は、１４の低密度パリティチェック（ＬＤＰＣ）トーンマッピング距離（ＤＴＭ）を使用してメッセージのトーンをマッピングするための手段をさらに含むことができる。様々な実施形態では、本装置は、２０の低密度パリティチェック（ＬＤＰＣ）トーンマッピング距離（ＤＴＭ）を使用してメッセージのトーンをマッピングするための手段をさらに含むことができる。
【００３７】
[0037]  様々な実施形態では、１０２４トーンプランは５つの直流トーンを含むことができる。様々な実施形態では、１０２４トーンプランは１２個の左ガードトーンと１１個の右ガードトーンとを含むことができる。様々な実施形態では、１０２４トーンプランは、１２個の左ガードトーンと、１１個の右ガードトーンと、５つの直流トーンと、９８０個のデータトーンと、１６個のパイロットトーンとを含むことができる。
【００３８】
[0038]  様々な実施形態では、本装置は移動局であり得る。８０ＭＨｚ帯域幅上での送信のためにメッセージを供給するための手段は、移動局をサービスするアクセスポイントに、移動局の送信機およびアンテナを通してメッセージを送信するための手段を含むことができる。様々な実施形態では、本装置はアクセスポイントであり得る。８０ＭＨｚ帯域幅上での送信のためにメッセージを供給するための手段は、アクセスポイントによってサービスされる移動局に、アクセスポイントの送信機およびアンテナを通してメッセージを送信するための手段を含むことができる。
【００３９】
[0039]  別の態様は、別の非一時的コンピュータ可読媒体を提供する。本媒体は、実行されたとき、装置に、１０２４トーンプランに従ってワイヤレス通信のためのメッセージを生成させる命令を含む。１０２４トーンプランは９８０個のデータトーンと１６個のパイロットトーンとを含む。本媒体は、実行されたとき、装置に、８０ＭＨｚ帯域幅上での送信のためにメッセージを供給させる命令をさらに含む。
【００４０】
[0040]  様々な実施形態では、本媒体は、実行されたとき、装置に、１０の低密度パリティチェック（ＬＤＰＣ）トーンマッピング距離（ＤＴＭ）を使用してメッセージのトーンをマッピングさせる命令をさらに含むことができる。様々な実施形態では、本媒体は、実行されたとき、装置に、１４の低密度パリティチェック（ＬＤＰＣ）トーンマッピング距離（ＤＴＭ）を使用してメッセージのトーンをマッピングさせる命令をさらに含むことができる。様々な実施形態では、本媒体は、実行されたとき、装置に、２０の低密度パリティチェック（ＬＤＰＣ）トーンマッピング距離（ＤＴＭ）を使用してメッセージのトーンをマッピングさせる命令をさらに含むことができる。
【００４１】
[0041]  様々な実施形態では、１０２４トーンプランは５つの直流トーンを含むことができる。様々な実施形態では、１０２４トーンプランは１２個の左ガードトーンと１１個の右ガードトーンとを含むことができる。様々な実施形態では、１０２４トーンプランは、１２個の左ガードトーンと、１１個の右ガードトーンと、５つの直流トーンと、９８０個のデータトーンと、１６個のパイロットトーンとを含むことができる。
様々な実施形態では、本装置は移動局であり得る。本媒体は、実行されたとき、装置に、移動局をサービスするアクセスポイントに、移動局の送信機およびアンテナを通してメッセージを送信することによって、８０ＭＨｚ帯域幅上での送信のためにメッセージを供給させる命令をさらに含むことができる。様々な実施形態では、本装置はアクセスポイントであり得る。本媒体は、実行されたとき、装置に、アクセスポイントによってサービスされる移動局に、アクセスポイントの送信機およびアンテナを通してメッセージを送信することによって、８０ＭＨｚ帯域幅上での送信のためにメッセージを供給させる命令をさらに含むことができる。
【図面の簡単な説明】
【００４２】
【図１】[0042]  本開示の態様が採用され得るワイヤレス通信システムの一例を示す図。
【図２】[0043]  図１のワイヤレス通信システム内で採用され得るワイヤレスデバイスにおいて利用され得る様々な構成要素を示す図。
【図３】[0044]  一実施形態による、例示的な２Ｎトーンプランを示す図。
【図４】[0045]  様々な実施形態による、５１２トーンプランおよび１０２４トーンプランについての限界を示す図。
【図５Ａ】[0046]  様々な実施形態による、５１２トーンプランを示す図。
【図５Ｂ】様々な実施形態による、１０２４トーンプランを示す図。
【図６】[0047]  一実施形態による、直交周波数分割多元接続（ＯＦＤＭＡ）トーンプランのためのインターリービングパラメータ（interleaving parameter）を生成するように動作可能であるシステムを示す図。
【図７】[0048]  ワイヤレス通信を送信および受信するために、図６のワイヤレスデバイスなど、ワイヤレスデバイスにおいて実装され得る例示的な多入力多出力（ＭＩＭＯ）システムを示す図。
【図８Ａ】[0049]  ５１２トーンプラン実施形態による、様々なデータトーン数のための候補インターリーバパラメータを示すチャート。
【図８Ｂ】[0050]  １０２４トーンプラン実施形態による、様々なデータトーン数のための候補インターリーバパラメータを示すチャート。
【図９】[0051]  様々なデータトーン数（Ｎｄａｔａ）のための例示的な低密度パリティチェック（ＬＤＰＣ）トーンマッピング距離（ＤＴＭ）を示すチャート。
【図１０】[0052]  様々なデータトーン数（Ｎｄａｔａ）のための例示的な変調およびコーディング方式（ＭＣＳ：modulation and coding scheme）有効性を示すチャート。
【図１１】[0053]  図１のワイヤレス通信システム内で採用され得るワイヤレス通信の例示的な方法のためのフローチャート。
【図１２】[0054]  図１のワイヤレス通信システム内で採用され得るワイヤレス通信の別の例示的な方法のためのフローチャート。
【発明を実施するための形態】
【００４３】
[0055]  添付の図面を参照しながら、新規のシステム、装置、および方法の様々な態様について以下でより十分に説明する。ただし、教示開示は、多くの異なる形態で具体化され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって具体化され得ることを理解されたい。
【００４４】
[0056]  本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００４５】
[0057]  ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。
【００４６】
[0058]  いくつかの態様では、ワイヤレス信号は、直交周波数分割多重（ＯＦＤＭ：orthogonal frequency-division multiplexing）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレス適用例のために使用され得る。有利なことに、この特定のワイヤレスプロトコルを実装するいくつかのデバイスの態様は、他のワイヤレスプロトコルを実装するデバイスよりも消費する電力が少ないことがあり、短い距離にわたってワイヤレス信号を送信するために使用されることがあり、および／または、人などの物体によって遮断される可能性が低い信号を送信することが可能であることがある。
【００４７】
[0059]  いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ（access point）」）および（局または「ＳＴＡ１０６Ａ〜１０６Ｄ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとしても使用され得る。
【００４８】
[0060]  本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリア（orthogonal sub-carrier）に区分する変調技法である、直交周波数分割多重化（ＯＦＤＭ）を利用する。これらのサブキャリア（sub-carrier）は、トーン（tone）、ビン（bin）などと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション（3rd Generation Partnership Project Long Term Evolution））または他の規格を実装することができる。
【００４９】
[0061]  本明細書の教示は、様々なワイヤードまたはワイヤレス装置（たとえば、ノード）に組み込まれ得る（たとえば、その装置内で実装されるか、またはその装置によって行われ得る）。いくつかの態様では、本明細書の教示に従って実装されるワイヤレスノードはアクセスポイントまたはアクセス端末を備えることができる。
【００５０】
[0062]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００５１】
[0063]  また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００５２】
[0064]  上記で説明したように、本明細書で説明するデバイスのいくつかは、たとえば、８０２．１１ａｘ規格を実装することができる。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえば、パーソナルヘルスケアのために使用され得る。それらのデバイスはまた、（たとえば、ホットスポットとともに使用するための）拡張された範囲のインターネット接続性を可能にするために、またはマシンツーマシン通信（machine-to-machine communication）を実装するために、監視のために使用され得る。
【００５３】
[0065]  図１に、本開示の態様が採用され得るワイヤレス通信システム１００の一例を示す。ワイヤレス通信システム１００は、ワイヤレス規格、たとえば、８０２．１１ａｘ規格、８０２．１１ａｈ規格、８０２．１１ａｃ規格、８０２．１１ｎ規格、８０２．１１ｇ規格および８０２．１１ｂ規格のうちの少なくとも１つに従って動作することができる。ワイヤレス通信システム１００は、ＳＴＡ１０６Ａ〜１０６Ｄと通信するＡＰ１０４を含むことができる。
【００５４】
[0066]  様々なプロセスおよび方法は、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００５５】
[0067]  ＡＰ１０４からＳＴＡ１０６Ａ〜１０６Ｄ１０６のうちの１つまたは複数への送信を可能にする通信リンクはダウンリンク（ＤＬ）１０８と呼ばれることがあり、ＳＴＡ１０６Ａ〜１０６Ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００５６】
[0068]  ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって行われ得る。
【００５７】
[0069]  図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるか、またはＳＴＡ１０６Ａ〜１０６Ｄのうちの１つを備えることができる。
【００５８】
[0070]  ワイヤレスデバイス２０２は、ワイヤレスデバイス２０２の動作を制御するプロセッサ２０４を含むことができる。プロセッサ２０４は中央処理ユニット（ＣＰＵ）と呼ばれることもある。読取り専用メモリ（ＲＯＭ）とランダムアクセスメモリ（ＲＡＭ）の両方を含むことができるメモリ２０６は、プロセッサ２０４に命令とデータとを供給する。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを行う。メモリ２０６中の命令は、本明細書で説明する方法を実装するように実行可能であり得る。
【００５９】
[0071]  プロセッサ２０４は、１つまたは複数のプロセッサを用いて実装された処理システムを備えるか、またはその処理システムの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を行うことができる任意の他の好適なエンティティの任意の組合せを用いて実装され得る。
【００６０】
[0072]  処理システムは、ソフトウェアを記憶するための機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明する様々な機能を処理システムに行わせる。
【００６１】
[0073]  ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、ＭＩＭＯ通信中に利用され得る、複数の送信機、複数の受信機、複数のトランシーバ、および／または複数のアンテナを含むことができる（図示せず）。
【００６２】
[0074]  ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ：physical layer data unit）を備えることができる。いくつかの態様では、ＰＰＤＵはパケットと呼ばれる。
【００６３】
[0075]  ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受信する、任意の要素または構成要素を含むことができる。
【００６４】
[0076]  ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは供給し得ることを、当業者は諒解されよう。
【００６５】
[0077]  図２には、いくつかの別個の構成要素が示されているが、構成要素のうちの１つまたは複数が組み合わせられるか、または共通に実装され得ることを、当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００６６】
[0078]  上記で説明したように、ワイヤレスデバイス２０２は、ＡＰ１０４またはＳＴＡ１０６を備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡ１０６Ａ〜１０６Ｄにデータを送信するために使用され得る。制御フレームは、様々な動作を行うために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００６７】
[0079]  本開示のいくつかの態様は、ＡＰ１０４が、効率を改善するために最適化された方法でＳＴＡ１０６Ａ〜１０６Ｄ送信を割り振ることを可能にすることをサポートする。高効率ワイヤレス（ＨＥＷ：high efficiency wireless）局、（８０２．１１ａｘなどの）８０２．１１高効率プロトコルを利用する局と、（８０２．１１ｂなどの）より古いまたはレガシー（legacy）８０２．１１プロトコルを使用する局の両方は、ワイヤレス媒体へのアクセスをめぐって競合または協調することがある。いくつかの実施形態では、本明細書で説明する高効率８０２．１１プロトコルは、ＨＥＷおよびレガシー局が、（トーンマップと呼ばれることもある）様々なＯＦＤＭトーンプランに従って相互動作することを可能にすることができる。いくつかの実施形態では、ＨＥＷ局は、より効率的な様式でワイヤレス媒体にアクセスすることができる。したがって、集合住宅または人口密度の高い公共空間の場合、高効率８０２．１１プロトコルを使用するＡＰおよび／またはＳＴＡ１０６Ａ〜１０６Ｄは、アクティブなワイヤレスデバイス（active wireless device）の数が増加するときでも、レイテンシ（latency）の低減およびネットワークスループット（network throughput）の増加を経験し、それにより、ユーザエクスペリエンス（user experience）を改善することができる。
【００６８】
[0080]  いくつかの実施形態では、ＡＰ１０４は、ＨＥＷ  ＳＴＡ１０６Ａ〜１０６Ｄのための様々なＤＬトーンプランに従ってワイヤレス媒体上で送信することができる。たとえば、図１に関して、ＳＴＡ１０６Ａ〜１０６ＤＡ〜１０６ＤはＨＥＷ  ＳＴＡ１０６Ａ〜１０６Ｄであり得る。いくつかの実施形態では、ＨＥＷ  ＳＴＡ１０６Ａ〜１０６Ｄは、レガシーＳＴＡのシンボル持続時間（symbol duration）の４倍のシンボル持続時間を使用して通信することができる。たとえば、様々な実施形態では、１ｘシンボル持続時間は４ｍｓであり得、４ｘシンボル持続時間は１６ｍｓであり得る。ＡＰ１０４は、通信帯域幅に基づいて、１つまたは複数のトーンプランに従ってＨＥＷ  ＳＴＡ１０６Ａ〜１０６ＤＡ〜１０６Ｄにメッセージを送信することができる。
【００６９】
[0081]  図３に、一実施形態による、例示的な２Ｎトーンプラン３００を示す。一実施形態では、トーンプラン３００は、２Ｎ点ＦＦＴを使用して生成された、周波数領域におけるＯＦＤＭトーンに対応する。トーンプラン３００は、−Ｎ〜Ｎ−１でインデックス付けされた２Ｎ個のＯＦＤＭトーンを含む。トーンプラン３００は、ガードトーン（guard tone）３１０の２つのセットと、データ／パイロットトーン３２０の２つのセットと、直流（ＤＣ）トーン３３０のセットとを含む。様々な実施形態では、ガードトーン３１０およびＤＣトーン３３０はヌル（null）であり得る。様々な実施形態では、トーンプラン３００は、別の好適な数のパイロットトーンを含み、および／または他の好適なトーンロケーションにあるパイロットトーンを含む。
【００７０】
[0082]  図３には２Ｎトーンプラン３００が示されているが、（３２、４８、６４、９６、１２８、１９２、２５６、３２０、３８４、４４８、５１２、７６８、１０２４、１２８０、１５３６、１７９２、および２０４８トーンプランなどの）同様のトーンプランが使用され得る。様々な実施形態では、各トーンプランは、たとえば、２０ＭＨｚ、４０ＭＨｚ、８０ＭＨｚ、および１６０ＭＨｚなどの通信帯域幅に対応することができる。様々な実施形態では、５１２、１０２４、および２０４８トーンプランは、周波数領域において、それぞれ２回、４回、および８回繰り返される２５６トーンプランを含むことができる。一実施形態では、２５６トーンプランは、ＩＥＥＥ８０２．１１規格において定義されている超高スループット（ＶＨＴ：very high throughput）８０ＭＨｚトーンプランを含むことができる。
【００７１】
[0083]  図４に、様々な実施形態による、５１２トーンプランおよび１０２４トーンプランについての限界を示す。特に、図４は、最低３つのＤＣトーンを有する実施形態と最低７つのＤＣトーンを有する実施形態とにおける５１２トーンプランおよび１０２４トーンプランのためのデータトーン数（Ｎｄａｔａ）に対する上限を示している。少なくとも３つのＤＣトーンを有する一実施形態では、５１２トーンプランは、少なくとも１１個のガードトーンと、少なくとも１２個のパイロットトーンと、多くとも４８６個のデータトーンとを含むことができる。少なくとも７つのＤＣトーンを有する一実施形態では、５１２トーンプランは、少なくとも１１個のガードトーンと、少なくとも１２個のパイロットトーンと、多くとも４８２個のデータトーンとを含むことができる。少なくとも３つのＤＣトーンを有する一実施形態では、１０２４トーンプランは、少なくとも１１個のガードトーンと、少なくとも１２個のパイロットトーンと、多くとも９９８個のデータトーンとを含むことができる。少なくとも７つのＤＣトーンを有する一実施形態では、１０２４トーンプランは、少なくとも１１個のガードトーンと、少なくとも１２個のパイロットトーンと、多くとも９９４個のデータトーンとを含むことができる。
【００７２】
[0084]  図５Ａ〜図５Ｂに、様々な実施形態による、５１２トーンプランおよび１０２４トーンプランを示す。図５Ａは、５１２トーンプランの様々な実施形態を示している。様々な実施形態では、５１２トーンプランは、４７８個のデータトーンと、（少なくとも３つのＤＣトーンをもつ実施形態の場合）多くとも２４個のパイロットトーンと、（少なくとも７つのＤＣトーンをもつ実施形態の場合）多くとも２０個のパイロットトーンとを含み、４６８個のデータトーンを有する実施形態に対して１．２８％の利得を達成することができる。様々な実施形態では、５１２トーンプランは、４７６個のデータトーンと、（少なくとも３つのＤＣトーンをもつ実施形態の場合）多くとも２２個のパイロットトーンと、（少なくとも７つのＤＣトーンをもつ実施形態の場合）多くとも１８個のパイロットトーンとを含み、４６８個のデータトーンを有する実施形態に対して１．７１％の利得を達成することができる。様々な実施形態では、５１２トーンプランは、４８０個のデータトーンと、（少なくとも３つのＤＣトーンをもつ実施形態の場合）多くとも１８個のパイロットトーンと、（少なくとも７つのＤＣトーンをもつ実施形態の場合）多くとも１４個のパイロットトーンとを含み、４６８個のデータトーンを有する実施形態に対して２．５６％の利得を達成することができる。様々な実施形態では、５１２トーンプランは、４８６個のデータトーンと、（少なくとも３つのＤＣトーンをもつ実施形態の場合）多くとも１２個のパイロットトーンとを含み、４６８個のデータトーンを有する実施形態に対して３．８５％の利得を達成することができる。
【００７３】
[0085]  図５Ｂは、１０２４トーンプランの様々な実施形態を示している。様々な実施形態では、１０２４トーンプランは、９４８個のデータトーンと、（少なくとも３つのＤＣトーンをもつ実施形態の場合）多くとも６２個のパイロットトーンと、（少なくとも７つのＤＣトーンをもつ実施形態の場合）多くとも５８個のパイロットトーンとを含み、９３６個のデータトーンを有する実施形態に対して１．２８％の利得を達成することができる。様々な実施形態では、１０２４トーンプランは、９６０個のデータトーンと、（少なくとも３つのＤＣトーンをもつ実施形態の場合）多くとも５０個のパイロットトーンと、（少なくとも７つのＤＣトーンをもつ実施形態の場合）多くとも４６個のパイロットトーンとを含み、９３６個のデータトーンを有する実施形態に対して２．５６％の利得を達成することができる。様々な実施形態では、１０２４トーンプランは、９７２個のデータトーンと、（少なくとも３つのＤＣトーンをもつ実施形態の場合）多くとも３８個のパイロットトーンと、（少なくとも７つのＤＣトーンをもつ実施形態の場合）多くとも３４個のパイロットトーンとを含み、９３６個のデータトーンを有する実施形態に対して４．０６％の利得を達成することができる。様々な実施形態では、１０２４トーンプランは、９８０個のデータトーンと、（少なくとも３つのＤＣトーンをもつ実施形態の場合）多くとも３０個のパイロットトーンと、（少なくとも７つのＤＣトーンをもつ実施形態の場合）多くとも２６個のパイロットトーンとを含み、９３６個のデータトーンを有する実施形態に対して４．７０％の利得を達成することができる。様々な実施形態では、１０２４トーンプランは、９８４個のデータトーンと、（少なくとも３つのＤＣトーンをもつ実施形態の場合）多くとも２６個のパイロットトーンと、（少なくとも７つのＤＣトーンをもつ実施形態の場合）多くとも２２個のパイロットトーンとを含み、９３６個のデータトーンを有する実施形態に対して５．１３％の利得を達成することができる。様々な実施形態では、１０２４トーンプランは、９９０個のデータトーンと、（少なくとも３つのＤＣトーンをもつ実施形態の場合）多くとも２０個のパイロットトーンと、（少なくとも７つのＤＣトーンをもつ実施形態の場合）多くとも１６個のパイロットトーンとを含み、９３６個のデータトーンを有する実施形態に対して５．７７％の利得を達成することができる。様々な実施形態では、１０２４トーンプランは、９９６個のデータトーンと、（少なくとも３つのＤＣトーンをもつ実施形態の場合）多くとも１４個のパイロットトーンとを含み、９３６個のデータトーンを有する実施形態に対して６．４１％の利得を達成することができる。
【００７４】
[0086]  図６に、一実施形態による、直交周波数分割多元接続（ＯＦＤＭＡ）トーンプランのためのインターリービングパラメータを生成するように動作可能であるシステム６００を示す。システム６００は、ワイヤレスネットワーク６５０を介して複数の他のデバイス（たとえば、宛先デバイス）６２０、６３０、および６４０とワイヤレス通信するように構成された第１のデバイス（たとえば、ソースデバイス）６１０を含む。代替実施形態では、異なる数のソースデバイス宛先デバイスがシステム６００中に存在することができる。様々な実施形態では、ソースデバイス６１０はＡＰ１０４（図１）を含むことができ、他のデバイス６２０、６３０、および６４０はＳＴＡ１０６Ａ〜１０６Ｄ（図１）を含むことができる。システム６００はシステム１００（図１）を含むことができる。様々な実施形態では、デバイス６１０、６２０、６３０、および６４０のいずれも、ワイヤレスデバイス２０２（図２）を含むことができる。
【００７５】
[0087]  特定の実施形態では、ワイヤレスネットワーク６５０は米国電気電子技術者協会（ＩＥＥＥ）８０２．１１ワイヤレスネットワーク（たとえば、Ｗｉ−Ｆｉネットワーク）である。たとえば、ワイヤレスネットワーク６５０は、ＩＥＥＥ８０２．１１規格に従って動作することができる。特定の実施形態では、ワイヤレスネットワーク６５０は多元接続通信をサポートする。たとえば、ワイヤレスネットワーク６５０は、宛先デバイス６２０、６３０、および６４０の各々への単一のパケット６６０の通信をサポートすることができ、ここで、単一のパケット６６０は、宛先デバイスの各々に向けられた個々のデータ部分を含む。一例では、本明細書でさらに説明するように、パケット６６０はＯＦＤＭＡパケットであり得る。
【００７６】
[0088]  ソースデバイス６１０は、（１つまたは複数の）多元接続パケットを生成し、それを複数の宛先デバイスに送信するように構成されたアクセスポイント（ＡＰ）または他のデバイスであり得る。特定の実施形態では、ソースデバイス６１０は、プロセッサ６１１（たとえば、中央処理ユニット（ＣＰＵ）、デジタル信号プロセッサ（ＤＳＰ）、ネットワーク処理ユニット（ＮＰＵ）など）と、メモリ６１２（たとえば、ランダムアクセスメモリ（ＲＡＭ）、読取り専用メモリ（ＲＯＭ）など）と、ワイヤレスネットワーク６５０を介してデータを送信および受信するように構成されたワイヤレスインターフェース６１５とを含む。メモリ６１２は、図７のインターリービングシステム（interleaving system）６１４に関して説明する技法に従って、データをインターリーブするためにインターリービングシステム６１４によって使用されるバイナリ畳み込みコード（ＢＣＣ：binary convolutional code）インターリービングパラメータ６１３を記憶することができる。
【００７７】
[0089]  本明細書で使用する「トーン（tone）」は、データがその内で通信され得る周波数または周波数のセット（たとえば、周波数範囲）を表すことができる。トーンは、代替的にサブキャリアと呼ばれることがある。したがって、「トーン」は周波数領域ユニットであり得、パケットは複数のトーンにわたることができる。トーンとは対照的に、「シンボル（symbol）」は時間領域ユニットであり得、パケットは複数のシンボルにわたる（たとえば、複数のシンボルを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【００７８】
[0090]  一例として、ワイヤレスデバイスは、８０メガヘルツ（ＭＨｚ）ワイヤレスチャネル（たとえば、８０ＭＨｚ帯域幅を有するチャネル）を介してパケットを受信することができる。ワイヤレスデバイスは、パケット中の５１２個のトーンを決定するために５１２点高速フーリエ変換（ＦＦＴ：fast Fourier transform）を行うことができる。トーンのサブセットが「使用可能」と考えられ得、残りのトーンは「使用不可能」と考えられ得る（たとえば、ガードトーン、直流（ＤＣ）トーンなどであり得る）。例示のために、４７４個のデータトーンと２４個のパイロットトーンとを含む、５１２個のトーンのうちの４９８個が使用可能であり得る。別の例として、４７６個のデータトーンおよび２２個のパイロットトーンがあり得る。上述のチャネル帯域幅、変換、およびトーンプランは例であることに留意されたい。代替実施形態では、異なるチャネル帯域幅（たとえば、５ＭＨｚ、６ＭＨｚ、６．５ＭＨｚ、４０ＭＨｚ、８０ＭＨｚなど）、異なる変換（たとえば、２５６点ＦＦＴ、１０２４点ＦＦＴなど）、および／または異なるトーンプランが使用され得る。
【００７９】
[0091]  特定の実施形態では、パケットは、１つまたは複数の空間ストリーム上で送信される様々なブロックサイズ（たとえば、サブバンドごとに様々なデータトーン数）を含むことができる。たとえば、パケットは、サブバンドごとに１２個のデータトーン、サブバンドごとに３６個のデータトーン、サブバンドごとに７２個のデータトーン、サブバンドごとに１２０個のデータトーン、サブバンドごとに１５６個のデータトーン、またはサブバンドごとに３１２個のデータトーンを含むことができる。インターリーブ深度と、インターリーブ回転インデックスと、ベースサブキャリア回転との組合せが、図８Ａ〜図８Ｂ中のチャートに従ってブロックサイズごとに与えられ得る。
【００８０】
[0092]  特定の実施形態では、インターリービングパラメータ６１３は、パケット６６０のどのデータトーンが個々の宛先デバイスに割り当てられるかを決定するために、多元接続パケット６６０の生成中にインターリービングシステム６１４によって使用され得る。たとえば、パケット６６０は、各個々の宛先デバイス６２０、６３０、および６４０に割り振られたトーンの別個のセットを含むことができる。例示のために、パケット６６０はインターリーブされたトーン割振りを利用することができる。
【００８１】
[0093]  宛先デバイス６２０、６３０、および６４０はそれぞれ、プロセッサ（たとえば、プロセッサ６２１）と、メモリ（たとえば、メモリ６２２）と、ワイヤレスインターフェース（たとえば、ワイヤレスインターフェース６２５）とを含むことができる。宛先デバイス６２０、６３０、および６４０はそれぞれ、図７のＭＩＭＯ検出器７１８に関して説明するように、パケット（たとえば、単一接続パケットまたは多元接続パケット）をデインターリーブするように構成されたデインターリービングシステム（deinterleaving system）６２４をも含むことができる。一例では、メモリ６２２は、インターリービングパラメータ６１３と同等のインターリービングパラメータ６２３を記憶することができる。
【００８２】
[0094]  動作中、ソースデバイス６１０は、パケット６６０を生成し、それをワイヤレスネットワーク６５０を介して宛先デバイス６２０、６３０、および６４０の各々に送信することができる。パケット６６０は、インターリーブされたパターンに従って各個々の宛先デバイスに割り振られたデータトーンの別個のセットを含むことができる。
【００８３】
[0095]  したがって、図６のシステム６００は、ＩＥＥＥ８０２．１１ワイヤレスネットワーク上で通信するために、ソースデバイスおよび宛先デバイスが使用するためのＯＦＤＭＡデータトーンインターリービングパラメータを供給することができる。たとえば、インターリービングパラメータ６１３、６２３（またはそれの部分）は、図示のように、ソースデバイスおよび宛先デバイスのメモリに記憶され得る、ワイヤレス規格（たとえば、ＩＥＥＥ８０２．１１規格）によって規格化され得る、などである。本明細書で説明する様々なデータトーンプランはダウンリンク（ＤＬ）ＯＦＤＭＡ通信ならびにアップリンク（ＵＬ）ＯＦＤＭＡ通信の両方のために適用可能であり得ることに留意されたい。
【００８４】
[0096]  たとえば、ソースデバイス６１０（たとえば、アクセスポイント）はワイヤレスネットワーク６５０を介して（１つまたは複数の）信号を受信することができる。（１つまたは複数の）信号はアップリンクパケットに対応することができる。パケット中で、トーンの別個のセットが、宛先デバイス（たとえば、移動局）６２０、６３０、および６４０の各々に割り振られ、その宛先デバイスによって送信されたアップリンクデータを搬送することができる。
【００８５】
[0097]  図７に、ワイヤレス通信を送信および受信するために、図６のワイヤレスデバイスなど、ワイヤレスデバイスにおいて実装され得る例示的な多入力多出力（ＭＩＭＯ）システム７００を示す。システム７００は、図６の第１のデバイス６１０と図６の宛先デバイス６２０とを含む。
【００８６】
[0098]  第１のデバイス６１０は、エンコーダ７０４と、インターリービングシステム６１４と、複数の変調器７０２ａ〜７０２ｃと、複数の送信（ＴＸ）回路７１０ａ〜７１０ｃと、複数のアンテナ７１２ａ〜７１２ｃとを含む。宛先デバイス６２０は、複数のアンテナ７１４ａ〜７１４ｃと、複数の受信（ＲＸ）回路７１６ａ〜７１６ｃと、ＭＩＭＯ検出器７１８と、デコーダ７２０とを含む。
【００８７】
[0099]  ビットシーケンスがエンコーダ７０４に供給され得る。エンコーダ７０４は、ビットシーケンスを符号化するように構成され得る。たとえば、エンコーダ７０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスはインターリービングシステム６１４に供給され得る。
【００８８】
[00100]  インターリービングシステム６１４は、ストリームパーサ（stream parser）７０６と複数の空間ストリームインターリーバ７０８ａ〜７０８ｃとを含むことができる。ストリームパーサ７０６は、エンコーダ７０４から複数の空間ストリームインターリーバ７０８ａ〜７０８ｃへの符号化ビットストリームをパース（parse）するように構成され得る。
【００８９】
[00101]  各インターリーバ７０８ａ〜７０８ｃは、周波数インターリービングを行うように構成され得る。たとえば、ストリームパーサ７０６は、各空間ストリームについてシンボルごとにコード化ビットのブロックを出力することができる。各ブロックは、行に書き込み、列を読み出す、対応するインターリーバ７０８ａ〜７０８ｃによってインターリーブされ得る。列数（ＮＣＯＬ）またはインターリーバ深度は、図８Ａ〜図８Ｂの表に関して説明するように、データトーン数（Ｎｄａｔａ）に基づき得る。行数（ＮＲＯＷ）は、列数（ＮＣＯＬ）およびデータトーン数（Ｎｄａｔａ）の関数であり得る。たとえば、行数（ＮＲＯＷ）は、列数（ＮＣＯＬ）で除算されたデータトーン数（Ｎｄａｔａ）に等しくなり得る（たとえば、ＮＲＯＷ＝Ｎｄａｔａ／ＮＣＯＬ）。
【００９０】
[00102]  図８Ａは、５１２トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、４７４データトーンブロックは、２、３、６、７９、１５８、または２３７のインターリーバ深度を有することができる。様々な実施形態では、４７６データトーンブロックは、２、４、７、１４、１７、２８、３４、６８、１１９、または２３８インターリーバ深度を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のインターリーバ深度を有することができる。様々な実施形態では、４８６データトーンブロックは、２、３、６、９、１８、２７、５４、８１、１６２、または２４３のインターリーバ深度を有することができる。
【００９１】
[00103]  ２つ以上の空間ストリームがある場合、空間ストリームに周波数回転（frequency rotation）が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【００９２】
[00104]  たとえば、データトーンブロックが４つまたはそれ以下の空間ストリーム（ＮＳＳ）を有する場合、ベースサブキャリア回転（ＮＲＯＴ）は、１１３、１１４、１１５、１１６、１１７、１１８、１１９、１２０、１２１、１２２、１２３、１２４、１２５、１２６、または１２７であり得る。回転インデックス（たとえば、図８Ａの第６の列）は、このシナリオでは［０  ２  １  ３]のビット逆転（bit reversal）であり得る。代替的に、データトーンブロックが５つ以上の空間ストリーム（ＮＳＳ）を有する場合、ベースサブキャリア回転（ＮＲＯＴ）は、５４、５５、５６、５７、５８、５９、６０、６１、６２、６３、６４、６５、または６６であり得る。回転インデックス（たとえば、図８Ａの第７の列）は、いくつかの実施形態では［０  ４  ２  ６  １  ５  ３  ７]のビット逆転であり得、または回転インデックスは、他の実施形態では、隣接するストリームの平均サブキャリア距離（average subcarrier distance）を最大にする（または増加させる）ように選定され得る（たとえば、［０  ５  ２  ７  ３  ６  １  ４]）。本明細書では、平均サブキャリア距離を最大にするインデックスの一例として［０  ５  ２  ７  ３  ６  １  ４]の回転インデックスが使用されているが、平均サブキャリア距離を最大にする（または増加させる）任意の他の回転インデックスが使用され得る。
【００９３】
[00105]  図８Ｂは、１０２４トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、９４８データトーンブロックは、２、３、４、６、１２、７９、１５８、２３７、３１６、または４７４のインターリーバ深度を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のインターリーバ深度を有することができる。様々な実施形態では、９７２データトーンブロックは、２、３、４、６、９、１２、１８、２７、３６、５４、８１、１０８、１６２、２４３、３２４、または４８６のインターリーバ深度を有することができる。様々な実施形態では、９８０データトーンブロックは、２、４、５、７、１０、１４、２０、２８、３５、４９、７０、９８、１４０、１９６、２４５、または４９０のインターリーバ深度を有することができる。様々な実施形態では、９８４データトーンブロックは、２、３、４、６、８、１２、２４、４１、８２、１２３、１６４、２４６、３２８、または４９２のインターリーバ深度を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のインターリーバ深度を有することができる。様々な実施形態では、９９６データトーンブロックは、２、３、４、６、１２、８３、１６６、２４９、３３２、または４９８のインターリーバ深度を有することができる。
【００９４】
[00106]  ２つ以上の空間ストリームがある場合、空間ストリームに周波数回転（frequency rotation）が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【００９５】
[00107]  たとえば、データトーンブロックが４つまたはそれ以下の空間ストリーム（ＮＳＳ）を有する場合、ベースサブキャリア回転（ＮＲＯＴ）は、２３２、２３３、２３４、２３５、２３６、２３７、２３８、２３９、２４０、２４１、２４２、２４３、２４４、２４５、２４６、２４７、２４８、２４９、２５０、２５１、２５２、２５３、または２５４であり得る。回転インデックス（たとえば、図８Ｂの第６の列）は、このシナリオでは［０  ２  １  ３]のビット逆転であり得る。代替的に、データトーンブロックが５つ以上の空間ストリーム（ＮＳＳ）を有する場合、ベースサブキャリア回転（ＮＲＯＴ）は、１１３、１１４、１１５、１１６、１１７、１１８、１１９、１２０、１２１、１２２、１２３、１２４、１２５、１２６、１２７、１２８、１２９、または１３０であり得る。回転インデックス（たとえば、図８Ｂの第７の列）は、いくつかの実施形態では［０  ４  ２  ６  １  ５  ３  ７]のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４]）。本明細書では、平均サブキャリア距離を最大にするインデックスの一例として［０  ５  ２  ７  ３  ６  １  ４]の回転インデックスが使用されているが、平均サブキャリア距離を最大にする（または増加させる）任意の他の回転インデックスが使用され得る。
【００９６】
[00108]  再び図７を参照すると、各インターリーバ７０８ａ〜７０８ｃの出力（たとえば、送信ストリーム）は、対応する変調器７０２ａ〜７０２ｃに供給され得る。各変調器７０２ａ〜７０２ｃは、対応する送信ストリームを変調し、変調された送信ストリームを対応する送信回路７１０ａ〜７１０ｃに渡すように構成され得る。特定の実施形態では、ビット（たとえば、送信ストリーム）は、４位相シフトキーイング（ＱＰＳＫ：Quadrature Phase Shift Keying）変調、２位相シフトキーイング（ＢＰＳＫ：Binary Phase Shift Keying）変調、または直交振幅変調（ＱＡＭ：Quadrature Amplitude Modulation）（たとえば、１６ＱＡＭ、６４ＱＡＭ、２５６ＱＡＭ）を使用して変調され得る。送信回路７１０ａ〜７１０ｃは、対応するアンテナ７１２ａ〜７１２ｃを介してワイヤレスネットワーク（たとえば、ＩＥＥＥ８０２．１１ワイヤレスネットワーク）上で変調された送信ストリームを送信するように構成することができる。
【００９７】
[00109]  特定の実施形態では、アンテナ７１２ａ〜７１２ｃは、別個であり、空間的に分離したアンテナである。別の実施形態では、別個の信号が、異なる偏波に合成され、アンテナ７１２〜７１２ｃのサブセットを介して送信され得る。たとえば、別個の信号が合成され得、ここで、空間回転または空間拡散が行われ、複数の空間ストリームが単一のアンテナにマッピングされる。
【００９８】
[00110]  宛先デバイス６２９の受信回路７１６ａ〜７１６ｃは、対応するアンテナ７１４ａ〜７１４ｃを介してインターリーブされた符号化ビットを受信することができる。受信回路７１６ａ〜７１６ｃの出力はＭＩＭＯ検出器７１８に供給され、ＭＩＭＯ検出器７１８の出力はデコーダ７２０に供給される。特定の実施形態では、ＭＩＭＯ検出器７１８は、インターリービングシステム６１４の逆の動作を行うように構成されたデインターリービングシステムを含むことができる。デコーダ７２０は、回復不能なエラーがなければ、エンコーダ７０４に供給された送信されたビットと同じである受信されたビットを出力することができる。
【００９９】
[00111]  図９は、様々なデータトーン数（Ｎｄａｔａ）のための例示的な低密度パリティチェック（ＬＤＰＣ）トーンマッピング距離（ＤＴＭ）を示すチャートである。トーンマッピングは、コンスタレーションポイント（constellation point）を取り、それらが、示された距離だけ分離されたＯＦＤＭサブキャリアにマッピングされることを保証する。たとえば、８０ＭＨｚチャネルでは、２つの連続するコンスタレーションポイントは、少なくとも１０ＯＦＤＭサブキャリアだけ分離され得る。マッピング距離（ＤＴＭ）は、少なくとも、ＬＤＰＣコードワード長（ＬＣＷ）で除算されたＯＦＤＭシンボルごとのコード化ビット数（ＮＣＢＰＳ）と同じ大きさであり得る（たとえば、ＮＣＢＰＳ／ＬＣＷ≦ＤＴＭ）。さらに、マッピング距離（ＤＴＭ）はサブキャリア数の整数約数（ＮＳＤ）であり得る。マッピング距離（ＤＴＭ）は、固定トーン処理を用いる、受信回路７１６ａ〜７１６ｃの高速フーリエ変換（ＦＦＴ）モジュールにおいて実装されたトーンデマッパ（tone de-mapper）を使用可能にするために、各帯域幅内のレートにわたって一定であり得る。
【０１００】
[00112]  様々な実施形態では、４７４データトーンブロックは７９のマッピング距離（ＤＴＭ）を有することができる。様々な実施形態では、４７６データトーンブロックは１４または１７のマッピング距離（ＤＴＭ）を有することができる。様々な実施形態では、４８０データトーンブロックは、１０、１２、１５、１６、または２０のマッピング距離（ＤＴＭ）を有することができる。様々な実施形態では、４８６データトーンブロックは９または１８のマッピング距離（ＤＴＭ）を有することができる。様々な実施形態では、９４８データトーンブロックは１２のマッピング距離（ＤＴＭ）を有することができる。様々な実施形態では、９６０データトーンブロックは、１０、１２、１５、１６、または２０のマッピング距離（ＤＴＭ）を有することができる。様々な実施形態では、９７２データトーンブロックは、９、１２、または１８のマッピング距離（ＤＴＭ）を有することができる。様々な実施形態では、９８０データトーンブロックは、１０、１４、または２０のマッピング距離（ＤＴＭ）を有することができる。様々な実施形態では、９７２データトーンブロックは、９、１２、または１８のマッピング距離（ＤＴＭ）を有することができる。様々な実施形態では、９８０データトーンブロックは、１０、１４、または２０のマッピング距離（ＤＴＭ）を有することができる。様々な実施形態では、９８４データトーンブロックは１２のマッピング距離（ＤＴＭ）を有することができる。様々な実施形態では、９９０データトーンブロックは、９、１０、１１、１５、または１８のマッピング距離（ＤＴＭ）を有することができる。様々な実施形態では、９９６データトーンブロックは１２のマッピング距離（ＤＴＭ）を有することができる。
【０１０１】
[00113]  図１０は、様々なデータトーン数（Ｎｄａｔａ）のための例示的な変調およびコーディング方式（ＭＣＳ）有効性を示すチャートである。チャートは、８つの空間ストリームまでの空間ストリームのためのＭＣＳ０〜ＭＣＳ９についての無効なＭＣＳシナリオを示す。様々な実施形態では、４７４データトーンブロックは１５個の除外（exclusion）を含む。たとえば、ここで、ＭＣＳ２およびＮｓｓ＝５であり、ＭＣＳ４およびＮｓｓ＝５、７であり、ＭＣＳ７およびＮｓｓ＝３、６、７、８であり、ＭＣＳ８およびＮｓｓ＝５、７、８であり、ＭＣＳ９およびＮｓｓ＝２、４、６、７、８である。様々な実施形態では、４７６データトーンブロックは１５個の除外を含む。たとえば、ここで、ＭＣＳ３およびＮｓｓ＝５であり、ＭＣＳ４およびＮｓｓ＝７であり、ＭＣＳ７およびＮｓｓ＝２、５、７、８であり、ＭＣＳ８およびＮｓｓ＝７、８であり、ＭＣＳ９およびＮｓｓ＝１、２、４、５、６、７、８である。様々な実施形態では、４８０データトーンブロックは９つの除外を含む。たとえば、ここで、ＭＣＳ７およびＮｓｓ＝６、８であり、ＭＣＳ８およびＮｓｓ＝５、８であり、ＭＣＳ９およびＮｓｓ＝２、４、６、７、８である。様々な実施形態では、４８６データトーンブロックは１９個の除外を含む。たとえば、ここで、ＭＣＳ２およびＮｓｓ＝３、５であり、ＭＣＳ４およびＮｓｓ＝５、６、７であり、ＭＣＳ６およびＮｓｓ＝１、３、４、５、６、７であり、ＭＣＳ７およびＮｓｓ＝３、６、７であり、ＭＣＳ８およびＮｓｓ＝３、５、７、８であり、ＭＣＳ９およびＮｓｓ＝７である。様々な実施形態では、９６０データトーンブロックは２１個の除外を含む。たとえば、ここで、ＭＣＳ４およびＮｓｓ＝５、８であり、ＭＣＳ５およびＮｓｓ＝５、６、７であり、ＭＣＳ７およびＮｓｓ＝３、４、６、８であり、ＭＣＳ８およびＮｓｓ＝４、５、７、８であり、ＭＣＳ９およびＮｓｓ＝１、２、３、４、５、６、７、８である。様々な実施形態では、９７２データトーンブロックは２４個の除外を含む。たとえば、ここで、ＭＣＳ２およびＮｓｓ＝５、６、７であり、ＭＣＳ４およびＮｓｓ＝３、５、７、８であり、ＭＣＳ５およびＮｓｓ＝６、７、８であり、ＭＣＳ６およびＮｓｓ＝２、３、５、６、７、８であり、ＭＣＳ７およびＮｓｓ＝３、６、７であり、ＭＣＳ８およびＮｓｓ＝４、５、６、７、８である。様々な実施形態では、９８０データトーンブロックは２３個の除外を含む。たとえば、ここで、ＭＣＳ１およびＮｓｓ＝５であり、ＭＣＳ２およびＮｓｓ＝５であり、ＭＣＳ４およびＮｓｓ＝８であり、ＭＣＳ５およびＮｓｓ＝６、７、８であり、ＭＣＳ６およびＮｓｓ＝５、６、８であり、ＭＣＳ７およびＮｓｓ＝１、５、７、８であり、ＭＣＳ８およびＮｓｓ＝４、６、８であり、ＭＣＳ９およびＮｓｓ＝１、２、４、５、６、７、８である。様々な実施形態では、９８４データトーンブロックは２９個の除外を含む。たとえば、ここで、ＭＣＳ２およびＮｓｓ＝６、７であり、ＭＣＳ４およびＮｓｓ＝３、５、７、８であり、ＭＣＳ５およびＮｓｓ＝６、７、８であり、ＭＣＳ６およびＮｓｓ＝２、３、５、６、７、８であり、ＭＣＳ７およびＮｓｓ＝３、６、７、８であり、ＭＣＳ８およびＮｓｓ＝４、５、６、７、８であり、ＭＣＳ９およびＮｓｓ＝２、４、６、７、８である。様々な実施形態では、９９０データトーンブロックは２０個の除外を含む。たとえば、ここで、ＭＣＳ０およびＮｓｓ＝５、７であり、ＭＣＳ１およびＮｓｓ＝７であり、ＭＣＳ２およびＮｓｓ＝５であり、ＭＣＳ４およびＮｓｓ＝５であり、ＭＣＳ５およびＮｓｓ＝７であり、ＭＣＳ６およびＮｓｓ＝３、６、８であり、ＭＣＳ７およびＮｓｓ＝３、５、６、７、８であり、ＭＣＳ８およびＮｓｓ＝５、６であり、ＭＣＳ９およびＮｓｓ＝２、４、５、６である。様々な実施形態では、９９６データトーンブロックは２７個の除外を含む。たとえば、ここで、ＭＣＳ２およびＮｓｓ＝５、６、７であり、ＭＣＳ４およびＮｓｓ＝３、５、７であり、ＭＣＳ５およびＮｓｓ＝７、８であり、ＭＣＳ６およびＮｓｓ＝２、３、５、６、７、８であり、ＭＣＳ７およびＮｓｓ＝３、６、７、８であり、ＭＣＳ８およびＮｓｓ＝５、６、７、８であり、ＭＣＳ９およびＮｓｓ＝２、４、６、７、８である。
【０１０２】
[00114]  図１１に、図１のワイヤレス通信システム１００内で採用され得るワイヤレス通信の例示的な方法のためのフローチャート１１００を示す。本方法は、ＡＰ１０４（図１）、ＳＴＡ１０６Ａ〜１０６Ｄ（図１）のいずれか、図２に示されたワイヤレスデバイス２０２、および／またはデバイス６１０、６２０、６３０、または６４０（図６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図６のシステム６００、および図８Ａ〜図８Ｂのトーンプランに関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で行われるか、または省略され得、さらなるブロックが追加され得る。
【０１０３】
[00115]  最初に、ブロック１１１０において、ワイヤレスデバイスが、メッセージのワイヤレス通信のために５１２トーンプランおよび１０２４トーンプランのうちの１つから選択する。５１２トーンプランは、４７４個のデータトーン、４７６個のデータトーン、４８０個のデータトーン、および４８６個のデータトーンのうちの１つと、５１２トーンプランが少なくとも３つの直流トーンを含むとき、２４個のパイロットトーン、２２個のパイロットトーン、１８個のパイロットトーン、および１２個のパイロットトーンのうちの多くとも１つと、５１２トーンプランが少なくとも７つの直流トーンを含むとき、２０個のパイロットトーン、１８個のパイロットトーン、および１４個のパイロットトーンのうちの多くとも１つとを含む。１０２４トーンプランは、９４８個のデータトーン、９６０個のデータトーン、９７２個のデータトーン、９８０個のデータトーン、９８４個のデータトーン、９９０個のデータトーン、および９９６個のデータトーンのうちの１つと、１０２４トーンプランが少なくとも３つの直流トーンを含むとき、６２個のパイロットトーン、５０個のパイロットトーン、３８個のパイロットトーン、３０個のパイロットトーン、２６個のパイロットトーン、２０個のパイロットトーン、および１４個のパイロットトーンのうちの多くとも１つと、１０２４トーンプランが少なくとも７つの直流トーンを含むとき、５８個のパイロットトーン、４６個のパイロットトーン、３４個のパイロットトーン、２６個のパイロットトーン、２２個のパイロットトーン、および１６個のパイロットトーンのうちの多くとも１つとを含む。たとえば、ＡＰ１０４は、図８〜図１０に関して上記で説明した５１２トーンプランおよび１０２４トーンプランのうちの１つから選択することができる。
【０１０４】
[00116]  次に、ブロック１１２０において、５１２トーンプランを選択すると、ワイヤレスデバイスは、４０ＭＨｚまたは１６０ＭＨｚ帯域幅上での送信のためにメッセージを供給する。たとえば、ＡＰ１０４は、５１２トーンプランに従って、アンテナ２１６を介した送信のためにメッセージを送信機２１０に供給することができる。様々な実施形態では、５１２トーンプランは、４ｘシンボル持続時間を有する４０ＭＨｚシステムに適用され得る。様々な実施形態では、５１２トーンプランは、１ｘシンボル持続時間を有する連続する１６０ＭＨｚ帯域幅を用いるシステムに適用され得る。様々な実施形態では、他の帯域幅および／またはシンボル持続時間が使用され得る。
【０１０５】
[00117]  次いで、ブロック１１３０において、１０２４トーンプランを選択すると、ワイヤレスデバイスは、８０ＭＨｚ帯域幅上での送信のためにメッセージを供給する。たとえば、ＡＰ１０４は、１０２４トーンプランに従って、アンテナ２１６を介した送信のためにメッセージを送信機２１０に供給することができる。様々な実施形態では、他の帯域幅が使用され得る。
【０１０６】
[00118]  様々な実施形態では、本方法は、たとえば５１２トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、１１３〜１２７のうちの少なくとも１つのインターリーブされた回転インデックスと、［０  ２  １  ３]のベースサブキャリア回転とを使用することを含むことができる。前記インターリーブすることは、５つ以上の空間ストリームについて、５４〜６６のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本明細書では、平均サブキャリア距離を最大にするインデックスの一例として［０  ５  ２  ７  ３  ６  １  ４]の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図７を参照すると、インターリービングシステム６１４は、１つまたは複数の空間ストリームのために一連のインターリーブされたビットを生成することができる。１つまたは複数の空間ストリームのためにインターリーブすることは、図８Ａ〜図８Ｂに記載のインターリーバ深度を使用して、１２データトーンブロックを使用することを含むことができる。
【０１０７】
[00119]  様々な実施形態では、一連のインターリーブされたビットは、１つまたは複数の空間ストリームを介して送信され得る。たとえば、図７を参照すると、一連のインターリーブされたビットは、送信回路７１０ａ〜７１０ｃとアンテナ７１２ａ〜７１２ｃとを使用して送信され得る。様々な実施形態では、前記インターリーブすることは、４７４のデータトーンブロックのために２、３、６、７７９、１５８、または２３７のインターリーバ深度を使用すること、４７６のデータトーンブロックのために２、４、７、１４、１７、２８、３４、６８、１１９、または２３８のインターリーバ深度を使用すること、４８０のデータトーンブロックのために２、３、４、５、６、８、１０、１２、１５、１６、２０、２４、３０、３２、４０、４８、６０、８０、９６、１２０、１６０、または２４０のインターリーバ深度を使用すること、および４８６のデータトーンブロックのために２、３、６、９、１８、２７、５４、８１、１６２、または２４３のインターリーバ深度を使用することのうちの少なくとも１つをさらに含むことができる。
【０１０８】
[00120]  様々な実施形態では、本方法は、たとえば１０２４トーンプランに従って、符号化データをインターリーブすることをさらに含むことができる。本方法は、インターリーブされた符号化データに基づいて、送信のために一連のインターリーブされたビットを生成することをさらに含むことができる。前記インターリーブすることは、最高４つの空間ストリームについて、２３２〜２５４のうちの少なくとも１つのインターリーブされた回転インデックスと、［０  ２  １  ３]のベースサブキャリア回転とを使用することを含むことができる。前記インターリーブすることは、５つ以上の空間ストリームについて、１１３〜１３０のうちの少なくとも１つのインターリーブされた回転インデックスと、［０  ４  ２  ６  １  ５  ３  ７]または［０  ５  ２  ７  ３  ６  １  ４]のベースサブキャリア回転とを使用することを含むことができる。本明細書では、平均サブキャリア距離を最大にするインデックスの一例として［０  ５  ２  ７  ３  ６  １  ４]の回転インデックスが使用されているが、平均サブキャリア距離を最大にする（または増加させる）任意の他の回転インデックスが使用され得る。本方法は、１つまたは複数の空間ストリームを介して一連のインターリーブされたビットを送信することをさらに含むことができる。たとえば、図７を参照すると、インターリービングシステム６１４は、１つまたは複数の空間ストリームのために一連のインターリーブされたビットを生成することができる。１つまたは複数の空間ストリームのためにインターリーブすることは、図８Ａ〜図８Ｂに記載のインターリーバ深度を使用して、１２データトーンブロックを使用することを含むことができる。
【０１０９】
[00121]  様々な実施形態では、一連のインターリーブされたビットは、１つまたは複数の空間ストリームを介して送信され得る。たとえば、図７を参照すると、一連のインターリーブされたビットは、送信回路７１０ａ〜７１０ｃとアンテナ７１２ａ〜７１２ｃとを使用して送信され得る。様々な実施形態では、前記インターリーブすることは、９４８のデータトーンブロックのために２、３、４、６、１２、７９、１５８、２３７、３１６、または４７４のインターリーバ深度を使用すること、９６０のデータトーンブロックのために２、３、４、５、６、８、１０、１２、１５、１６、２０、２４、３０、３２、４０、４８、６０、６４、８０、９６、１２０、１６０、１９２、２４０、３２０、または４８０のインターリーバ深度を使用すること、９７２のデータトーンブロックのために２、３、４、６、９、１２、１８、２７、３６、５４、８１、１０８、１６２、２４３、３２４、または４８６のインターリーバ深度を使用すること、９８０のデータトーンブロックのために２、４、５、７、１０、１４、２０、２８、３５、４９、７０、９８、１４０、１９６、２４５、または４９０のインターリーバ深度を使用すること、９８４のデータトーンブロックのために２、３、４、６、８、１２、２４、４１、８２、１２３、１６４、２４６、３２８、または４９２のインターリーバ深度を使用すること、９９０のデータトーンブロックのために２、３、５、６、９、１０、１１、１５、１８、２２、３０、３３、４５、５５、６６、９０、９９、１１０、１６５、１９８、３３０、または４９５のインターリーバ深度を使用すること、および９９６のデータトーンブロックのために２、３、４、６、１２、８３、１６６、２４９、３３２、または４９８のインターリーバ深度を使用することのインターリーバ深度を使用することのうちの少なくとも１つをさらに含むことができる。
【０１１０】
[00122]  一実施形態では、図１１に示された方法は、選択回路（selecting circuit）と、供給回路（providing circuit）と、インターリービング回路（interleaving circuit）とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１１１】
[00123]  選択回路は、メッセージのワイヤレス通信のためにトーンプランを選択することように構成され得る。一実施形態では、選択回路は、フローチャート１１００（図１１）のブロック１１１０を実装するように構成され得る。選択回路は、ＤＳＰ２２０（図２）、プロセッサ２０４（図２）、およびメモリ２０６（図２）のうちの１つまたは複数を含むことができる。いくつかの実装形態では、選択するための手段は選択回路を含むことができる。
【０１１２】
[00124]  供給回路は、選択されたトーンプランに従って送信のためにメッセージを供給するように構成され得る。一実施形態では、供給回路は、フローチャート１１００（図１１）のブロック１１２０〜１１３０のいずれかを実装するように構成され得る。供給回路は、送信機２１０（図２）、トランシーバ２１４（図２）、プロセッサ２０４（図２）、ＤＳＰ２２０（図２）、およびメモリ２０６（図２）のうちの１つまたは複数を含むことができる。いくつかの実装形態では、供給するための手段は供給回路を含むことができる。
【０１１３】
[00125]  インターリービング回路は、送信のためにデータをインターリーブするように構成され得る。インターリービング回路は、インターリービングシステム６１４（図６）、ストリームパーサ７０６（図７）、インターリーバ７０８Ａ〜７０８Ｃ（図７）のいずれか、プロセッサ２０４（図２）、ＤＳＰ２２０（図２）、およびメモリ２０６（図２）のうちの１つまたは複数を含むことができる。いくつかの実装形態では、インターリーブするための手段はインターリービング回路を含むことができる。
【０１１４】
[00126]  様々な実施形態では、１０２４トーンプランは、有利には、９８０個のデータトーンと１６個のパイロットトーンとを含むことができる。１０２５トーンプランは５つのＤＣトーンを含むことができる。様々な実施形態では、図１２に関して以下で説明するこの構成は、本明細書で説明する他のトーンプランに勝るいくつかの利点を与えることができる。たとえば、９８０個のデータトーンを含む１０２４トーンプランは、９３６個のデータトーンをもつ代替形態に対して４．７％の利得を与えることができる。
【０１１５】
[00127]  図１２に、図１のワイヤレス通信システム１００内で採用され得るワイヤレス通信の例示的な方法のためのフローチャート１２００を示す。本方法は、ＡＰ１０４（図１）、ＳＴＡ１０６Ａ〜１０６Ｄ（図１）のいずれか、図２に示されたワイヤレスデバイス２０２、および／またはデバイス６１０、６２０、６３０、または６４０（図６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図６のシステム６００、および図８Ａ〜図８Ｂのトーンプランに関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で行われるか、または省略され得、さらなるブロックが追加され得る。
【０１１６】
[00128]  最初に、ブロック１２１０において、ワイヤレスデバイスは、１０２４トーンプランに従ってワイヤレス通信のためのメッセージを生成する。１０２４トーンプランは９８０個のデータトーンと１６個のパイロットトーンとを含む。たとえば、ＡＰ１０４は、図８〜図１０に関して上記で説明した、９８０個のデータトーンを有する１０２４トーンプランに従ってメッセージを生成することができる。
【０１１７】
[00129]  様々な実施形態では、１０２４トーンプランに従ってメッセージを生成することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることとのうちの１つまたは複数を含むことができる。たとえば、エンコーダ７０４（図７）はデータビットを符号化することができる。ストリームパーサ７０６（図７）は符号化データビットをパース（parse）することができる。インターリーバ７０８ａ〜７０８ｃ（図７）はパースされたデータをインターリーブする。変調器７０２ａ〜７０８ｃ（図７）は、データビットを９８０個のＯＦＤＭデータトーンにマッピングし、ビットのパイロットシーケンスを１６個のパイロットＯＦＤＭトーンにマッピングし、ヌルデータビットを１２個の左ガードトーン、１１個の右ガードトーン、および５つのＤＣトーンにマッピングすることができる。
【０１１８】
[00130]  様々な実施形態では、１０２４トーンプランは５つの直流トーンを含むことができる。様々な実施形態では、１０２４トーンプランは１２個の左ガードトーンと１１個の右ガードトーンとを含むことができる。様々な実施形態では、１０２４トーンプランは、１２個の左ガードトーンと、１１個の右ガードトーンと、５つの直流トーンと、９８０個のデータトーンと、１６個のパイロットトーンとを含むことができる。
【０１１９】
[00131]  次に、ブロック１２２０において、ワイヤレスデバイスは、８０ＭＨｚ帯域幅上での送信のためにメッセージを供給する。たとえば、ＡＰ１０４は、１０２４トーンプランに従って、アンテナ２１６を介した送信のためにメッセージを送信機２１０に供給することができる。様々な実施形態では、他の帯域幅が使用され得る。
【０１２０】
[00132]  様々な実施形態では、８０ＭＨｚ帯域幅上での送信のためにメッセージを供給することは、複数のデータビットを符号化することと、符号化ビットのストリームをパースすることと、符号化ビットをインターリーブすることと、データビットを指定された数のＯＦＤＭデータトーンにマッピングすることと、ビットのパイロットシーケンスを指定された数のパイロットＯＦＤＭトーンにマッピングすることと、ヌルデータビットを指定された数の左ガードトーン、右ガードトーン、およびＤＣトーンにマッピングすることとのうちの１つまたは複数を含むことができる。たとえば、プロセッサ２０４（図２）は、１０２４トーンプランに従って複数のデータビットを編成することができる。エンコーダ７０４（図７）はデータビットを符号化することができる。ストリームパーサ７０６（図７）は符号化データビットをパースすることができる。インターリーバ７０８ａ〜７０８ｃ（図７）はパースされたデータをインターリーブする。変調器７０２ａ〜７０８ｃ（図７）は、送信機７１０ａ〜７１０ｃ（図７）を介した送信のためにインターリーブされたデータを変調することができる。
【０１２１】
[00133]  様々な実施形態では、本方法は、１０の低密度パリティチェック（ＬＤＰＣ）トーンマッピング距離（ＤＴＭ）を使用してメッセージのトーンをマッピングすることをさらに含むことができる。様々な実施形態では、本方法は、１４の低密度パリティチェック（ＬＤＰＣ）トーンマッピング距離（ＤＴＭ）を使用してメッセージのトーンをマッピングすることをさらに含むことができる。様々な実施形態では、本方法は、２０の低密度パリティチェック（ＬＤＰＣ）トーンマッピング距離（ＤＴＭ）を使用してメッセージのトーンをマッピングすることをさらに含むことができる。いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは複数のデータビットを符号化することと、それらの符号化ビットを直交振幅変調（ＱＡＭ）シンボルにマッピングすることとを含むことができる。マッピングは、第１のＱＡＭシンボルを第１のデータトーンにマッピングすること、第２のＱＡＭシンボルを第（１＋ＤＴＭ）のデータトーンにマッピングすること、第３のＱＡＭシンボルを第（１＋２＊ＤＴＭ）のデータトーンにマッピングすることなどをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされるなどのように、ラップアラウンド（wrap around）することができる。
【０１２２】
[00134]  様々な実施形態では、本方法は、たとえば、図１のＳＴＡ１０６Ａ〜１０６Ｄなどの移動局上で行われ得る。８０ＭＨｚ帯域幅上での送信のためにメッセージを供給することは、移動局をサービスするアクセスポイント（たとえば、図１のＡＰ１０４）に、移動局の送信機（たとえば、図２の送信機２１０）およびアンテナ（たとえば、図２のアンテナ２１６）を通してメッセージを送信することを含むことができる。様々な実施形態では、本方法は、たとえば、図１のＡＰ１０４などのアクセスポイント上で行われ得る。８０ＭＨｚ帯域幅上での送信のためにメッセージを供給することは、アクセスポイントによってサービスされる移動局（たとえば、図１のＳＴＡ１０６Ａ）に、アクセスポイントの送信機（たとえば、図２の送信機２１０）およびアンテナ（たとえば、図２のアンテナ２１６）を通してメッセージを送信することを含むことができる。
【０１２３】
[00135]  様々な実施形態では、図１２の方法は、図１１の方法に示された１つまたは複数のブロックを含むことができる。たとえば、本方法は、図１１のブロック１１１０に関して上記で説明したように、５１２トーンプランおよび１０２４トーンプランのうちの１つから選択することを含むことができる。５１２トーンプランは、図８〜図１０に関して上記で説明した特性のいずれかを有することができる。図１２の方法は、５１２トーンプランの選択時に、４０ＭＨｚまたは１６０ＭＨｚ帯域幅上でメッセージを供給することをさらに含むことができる。
【０１２４】
[00136]  一実施形態では、図１２に示された方法は、生成回路と供給回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０１２５】
[00137]  生成回路（generating circuit）は、１０２４トーンプレーンに従ってメッセージを生成するように構成され得る。一実施形態では、生成回路は、フローチャート１２００（図１２）のブロック１２１０を実装するように構成され得る。生成回路は、ＤＳＰ２２０（図２）、プロセッサ２０４（図２）、およびメモリ２０６（図２）のうちの１つまたは複数を含むことができる。いくつかの実装形態では、生成するための手段は生成回路を含むことができる。
【０１２６】
[00138]  供給回路（providing circuit）は、送信のためにメッセージを供給するように構成され得る。一実施形態では、供給回路は、フローチャート１２００（図１２）のブロック１２２０を実装するように構成され得る。供給回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、供給するための手段は供給回路を含むことができる。
【０１２７】
[00139]  様々な実施形態では、ワイヤレスデバイスはマッピング回路をさらに含むことができる。マッピング回路は、低密度パリティチェック（ＬＤＰＣ）トーンマッピング距離（ＤＴＭ）を使用してメッセージのトーンをマッピングするように構成され得る。様々な実施形態では、ＤＴＭは、１０、１４、または２０のうちの１つであり得る。マッピング回路は、ＤＳＰ２２０（図２）、プロセッサ２０４（図２）、メモリ２０６（図２）、インターリービングシステム６１４（図６）、インターリーバ７０８ａ〜７０８ｃ（図７）、および変調器７０２ａ〜７０２ｃ（図７）のうちの１つまたは複数を含むことができる。いくつかの実装形態では、マッピングするための手段は生成回路を含むことができる。
【０１２８】
[00140]  様々な実施形態では、ワイヤレスデバイスは送信回路をさらに含むことができる。送信回路は、たとえば、移動局またはアクセスポイントの送信機およびアンテナを通して、メッセージを送信するように構成され得る。送信回路は、送信機２１０（図２）、トランシーバ２１４（図２）、プロセッサ２０４（図２）、ＤＳＰ２２０（図２）、アンテナ２１６（図２）、およびメモリ２０６（図２）のうちの１つまたは複数を含むことができる。いくつかの実装形態では、送信するための手段は送信回路を含むことができる。
【０１２９】
[00141]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３０】
[00142]  本開示で説明した実装形態への様々な変更は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきではない。
【０１３１】
[00143]  また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１３２】
[00144]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１３３】
[00145]  上記で説明した方法の様々な動作は、（１つまたは複数の）様々なハードウェアおよび／またはソフトウェア構成要素、回路、および／または（１つまたは複数の）モジュールなど、それらの動作を行うことが可能な任意の好適な手段によって行われ得る。概して、図に示されたどの動作も、その動作を行うことが可能な対応する機能的手段によって行われ得る。
【０１３４】
[00146]  本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を行うように設計されたそれらの任意の組合せを用いて実装または行われ得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３５】
[00147]  １つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体（tangible media））を備えることができる。さらに、いくつかの態様では、コンピュータ可読媒体は一時的コンピュータ可読媒体（たとえば、信号）を備えることができる。上記の組合せもコンピュータ可読媒体の範囲内に含まれるべきである。
【０１３６】
[00148]  本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０１３７】
[00149]  さらに、本明細書で説明した方法および技法を行うためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を行うための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【０１３８】
[00150]  上記は本開示の態様を対象とするが、本開示の他の態様およびさらなる態様は、それの基本的範囲から逸脱することなく考案され得、それの範囲は以下の特許請求の範囲によって決定される。
【図１】
2017528941.tif 000003
【図２】
2017528941.tif 000004
【図３】
2017528941.tif 000005
【図４】
2017528941.tif 000006
【図５Ａ】
2017528941.tif 000007
【図５Ｂ】
2017528941.tif 000008
【図６】
2017528941.tif 000009
【図７】
2017528941.tif 000010
【図８Ａ】
2017528941.tif 000011
【図８Ｂ】
2017528941.tif 000012
【図９】
2017528941.tif 000013
【図１０】
2017528941.tif 000014
【図１１】
2017528941.tif 000015
【図１２】
2017528941.tif 000016
【国際調査報告】
2017528941.tif 000017
2017528941.tif 000018
2017528941.tif 000019